(57)【特許請求の範囲】
【請求項１】
基材の少なくとも一部に潜像画像形成領域を備え、前記潜像画像形成領域は、凸形状の第１の要素が万線状に配置され、かつ、前記第１の要素の位相が部分的に異なることで潜像部と背景部に区分けされて成る第１の模様と、前記第１の要素の間に、前記基材よりも透過率が高い凹形状の複数の第２の要素が形成された第一の透過画像部と第二の透過画像部から成る第２の模様と、前記第１の要素と異なる色の第３の要素が万線状に配置されて成る第３の模様が形成され、前記潜像部及び／又は前記背景部の前記第１の要素に、前記第３の要素が重なることで、前記潜像部の図柄を有する第一の潜像画像が形成され、前記第一の透過画像部が、前記潜像部と同じ領域に配置されたことで、前記潜像部と同じ図柄の第一の透過画像が形成され、前記第二の透過画像部が、前記背景部の一部に少なくとも配置されて、第二の透過画像が形成され、前記基材を傾けて観察すると前記第一の潜像画像が視認され、前記基材を透過光下で観察すると、前記第一の透過画像と前記第二の透過画像が視認されることを特徴とする特殊潜像模様形成体。
【請求項２】
前記第二の透過画像部が前記潜像部の少なくとも一部と同じ領域に配置され、前記第２の模様は、前記第一の透過画像部と前記第二の透過画像部の境界に、前記第２の要素が形成されていない輪郭領域を備えたことを特徴とする請求項１記載の特殊潜像模様形成体。
【請求項３】
前記第一の透過画像部が前記第２の要素により、第１の面積率で形成され、前記第二の透過画像部が前記第２の要素により、前記第１の面積率とは異なる第２の面積率で形成されたことを特徴とする請求項２記載の特殊潜像模様形成体。
【発明の詳細な説明】
【技術分野】
【０００１】
本発明は、銀行券、株券、有価証券、通行券、パスポート、商品券及びカード等の偽造防止が要求される貴重印刷物に適用される、特殊潜像模様形成体である。
【背景技術】
【０００２】
銀行券、株券、債券等の有価証券、カード、各種証明書及び重要書類等の貴重印刷物は、その性質上、偽造や改ざんされないことが要求される。その防止策としては、特殊インキによる印刷、ホログラム、スレッド、微小文字印刷、すき入れ等がある。
【０００３】
このような貴重印刷物の偽造を防止する技術として、本出願人は、部分的に角度を異にすることによって図柄を表した各種万線模様又はレリーフ模様のいずれか少なくとも一つの模様をエンボスによって形成された凹凸形状を有する素材に、一定な間隔を持つ各種万線画線又は網点画線のいずれか少なくとも一つを前述の凹凸形状の図柄以外の部分を構成する部分に対して平行又は傾斜を持たせて印刷した特殊潜像模様形成体を提案している（例えば、特許文献１参照）。この特殊潜像模様形成体は、反射光下で傾けて観察することで潜像画像が視認でき、その視認の有無によって真偽判別を行うことができる。
【０００４】
また、本出願人は、特許文献１の特殊潜像模様形成体のさらなる偽造防止効果と真偽判別性の向上を図るため、反射光下で傾けて観察すると視認できる潜像画像に加えて、透過光下の観察で異なる潜像画像を視認できる特殊潜像画像形成体を提案している（例えば、特許文献２参照）。
【先行技術文献】
【特許文献】
【０００５】
【特許文献１】特許第２６１５４０１号公報
【特許文献２】特開２０１３−２４０９６２号公報
【発明の概要】
【発明が解決しようとする課題】
【０００６】
しかしながら、特許文献２の発明は、特許文献１の反射光下で傾けて観察した際に視認できる潜像画像に加えて、透過光下で観察した際に、異なる潜像画像が視認できることで、真偽判別性と偽造防止効果を向上させたものであるが、反射光下で傾けて視認される潜像画像と透過光下で視認される潜像画像の関連性がなく、透過光下で視認される潜像画像に応じて透過光量を上げる加工を施すことで、例えば、透かしインキを印刷することで、同じような効果の貴重印刷物が偽造されてしまうという問題があった。また、透過光下で視認される画像の位置に応じて、隣り合う凸形状の第１の要素の間に、凹形状の第２の要素が形成される構成であり、透過光下で視認できる画像を構成している第２の要素の配置が分かれば、偽造されてしまうという問題があった。以上のことから、前述した貴重印刷物に施す技術として、さらなる真偽判別性及び偽造防止効果の向上を図るための対策が望まれる。
【０００７】
本発明は、前述した課題の解決を目的とするものであり、反射光下で傾けて観察した場合と透過光下で観察した場合に、視認できる潜像画像が異なることに加えて、透過光下で観察した場合に、反射光下で視認できる潜像画像の図柄も視認できることで、より高度な認証と、偽造防止効果に優れた特殊潜像模様形成体を提供することを目的とする。
【課題を解決するための手段】
【０００８】
本発明の特殊潜像模様形成体は、基材の少なくとも一部に潜像画像形成領域を備え、潜像画像形成領域は、凸形状の第１の要素が万線状に配置され、かつ、第１の要素の位相が部分的に異なることで潜像部と背景部に区分けされて成る第１の模様と、第１の要素の間に、基材よりも透過率が高い凹形状の複数の第２の要素が形成された第一の透過画像部と第二の透過画像部から成る第２の模様と、第１の要素と異なる色の第３の要素が万線状に配置されて成る第３の模様が形成され、潜像部及び／又は背景部の第１の要素に、第３の要素が重なることで、潜像部の図柄を有する第一の潜像画像が形成され、第一の透過画像部が、潜像部と同じ領域に配置されたことで、潜像部と同じ図柄の第一の透過画像が形成され、第二の透過画像部が、背景部の一部に少なくとも配置されて、第二の透過画像が形成され、基材を傾けて観察すると第一の潜像画像が視認され、基材を透過光下で観察すると、第一の透過画像と第二の透過画像が視認されることを特徴とする。
【０００９】
また、本発明の特殊潜像模様形成体は、第二の透過画像部が潜像部の少なくとも一部と同じ領域に配置され、第２の模様は、第一の透過画像部と第二の透過画像部の境界に、第２の要素が形成されていない輪郭領域を備えたことを特徴とする。
【００１０】
また、本発明の特殊潜像模様形成体は、第一の透過画像部が第２の要素により、第１の面積率で形成され、第二の透過画像部が第２の要素により、第１の面積率とは異なる第２の面積率で形成されたことを特徴とする。
【発明の効果】
【００１１】
本発明の特殊潜像模様形成体は、反射光下で傾けて観察した場合と透過光下で観察した場合に、視認できる潜像画像が異なることに加えて、透過光下で観察した場合に、反射光下で視認できる潜像画像の図柄も視認できることで、より高度な認証と、偽造防止効果に優れる。
【図面の簡単な説明】
【００１２】
【図１】本発明の特殊潜像模様形成体の概要を示す図である。
【図２】潜像画像形成領域に形成される模様を示す図である。
【図３】特殊潜像模様形成体を様々な条件で視認している図である。
【図４】第１の模様の構成を示す図である。
【図５】第１の模様の断面図である。
【図６】第１の模様を構成する第１の要素の例を示す図である。
【図７】第１の要素の幅及び第１の要素を配置するピッチについて説明する図である。
【図８】第１の要素の位相が異なることで区分けされた潜像部と背景部を示す図である。
【図９】潜像要素と背景要素が繋がった状態で形成された例を示す図である。
【図１０】第２の模様の構成を示す図である。
【図１１】第２の模様を構成する第２の要素の構成を示す図である。
【図１２】第２の要素の形状の例を示す図である。
【図１３】第２の要素の面積率を部分的に異ならせて配置された例を示す図である。
【図１４】第２の要素の深さを部分的に異ならせて形成された例を示す図である。
【図１５】第３の模様の構成を示す図である。
【図１６】第１の模様と第３の模様の配置と、傾けて観察した場合の状態を示す図である。
【図１７】第２の要素と第３の要素が重ならない場合の配置の例を示す図である。
【図１８】第２の要素と第３の要素が重なる場合の配置の例を示す図である。
【図１９】第３の要素が、第２の要素の一部に重なる場合の配置の例を示す図である。
【図２０】第２の要素が第３の要素に重なる配置の別の例を示す図である。
【図２１】第３の要素が、第２の要素の一部に重なる配置の別の例を示す図である。
【図２２】第２の実施の形態の第２の模様の構成を示す図である。
【図２３】第２の実施の形態において、第一の透過模様部と第二の透過模様部の境界を示す図である。
【図２４】第２の実施の形態の特殊潜像模様形成体を透過光下で観察した場合に視認できる画像を示す図である。
【図２５】潜像要素と背景要素が繋がって形成される場合の第一の透過模様部と第二の透過模様部の境界を示す図である。
【図２６】第一の透過模様部の第２の要素が第１の面積率で形成され、第二の透過模様部の第２の要素が、第１の面積率とは異なる第２の面積率で形成された例を示す図である。
【図２７】実施例１の特殊潜像模様形成体を透過光下で観察した場合に視認できる画像を示す図である。
【図２８】実施例２の特殊潜像模様形成体の第２の模様の構成を示す図である。
【図２９】実施例２の特殊潜像模様形成体を透過光下で観察した場合に視認できる画像を示す図である。
【発明を実施するための形態】
【００１３】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１４】
図１は、本発明における特殊潜像模様形成体（１）（以下、「形成体」という。）の一例を示す図である。この形成体（１）は、図１に示すように、基材（２）上の少なくとも一部に、本発明における潜像画像が形成されている潜像画像形成領域（３）を有している。なお、図１に示すように、潜像画像形成領域（３）以外の領域には、料額、文字、他の模様等の情報を公知の印刷方式（例えば、オフセット印刷、凹版印刷等）により施しても良い。
【００１５】
本発明における基材（２）は、上質紙、コート紙、アート紙等の紙葉類を用いることができる。ただし、本発明の特徴点である透過光下で視認できる二つの透過画像を形成するために、基材（２）を加工することで形成した凹凸形状が必要であることから、基材（２）の厚みは２０μm〜１０００μmが良く、好ましくは５０μm〜３００μmが良い。また、基材（２）は、フィルム、プラスチック及びそれらの複合素材等を用いることもできる。
【００１６】
本発明の潜像画像形成領域（３）は、図２（ｂ）に示す第１の模様（４）と図２（ｃ）に示す第２の模様（６）が形成された基材（２）の上に、図２（ｄ）に示す第３の模様（８）が印刷されて形成される。詳細に説明すると、図２（ａ）は、本発明の形成体（１）の潜像画像形成領域（３）であり、潜像画像形成領域（３）は、図２（ｂ）に示す基材（２）上に凸形状の複数の第１の要素（５）から成る第１の模様（４）と、図２（ｃ）に示す隣り合う第１の要素（５）の間に形成された凹形状の複数の第２の要素（７）から成る第２の模様（６）が形成され、さらに、図２（ｄ）に示す基材（２）と異なる色で成る複数の第３の要素（９）から成る第３の模様（８）が組み合わされて形成されている。
【００１７】
潜像画像形成領域（３）を真上から観察したとき（以下、「第１の観察点（Ｌ１）」という。）には、図３（ａ）に示すように、基材と異なる色で成る第３の模様（８）が視認できるが、斜めから観察したとき（以下、「第２の観察点（Ｌ２）」という。）には、図３（ｂ）に示すように、第１の要素（５）と第３の要素（９）の配置によって、第３の模様（８）の色が視認できる部分と、第３の模様（８）が視認できない部分が生じ、第一の潜像画像（１０）である「Ａ」が視認できる。また、本発明の潜像画像形成領域（３）を透過光下で観察（以下、「第３の観察点（Ｌ３）」という。）すると、第２の模様（６）については基材の厚みが薄いため光の透過率が高くなることですき入れ画像として視認でき、図３（ｃ）に示すように、第一の潜像画像（１０）と同一図柄の第一の透過画像（１１）である「Ａ」が視認できる。さらに、第一の潜像画像（１０）と異なる図柄の第二の透過画像（１２）である「Ｂ」が視認できる。なお、各観察方法によって潜像画像が視認できる原理については、後述し、続いて、潜像画像形成領域（３）に形成される第１の模様（４）、第２の模様（６）及び第３の模様（８）の詳細について説明する。
【００１８】
（第１の実施の形態）
はじめに、第１の模様（４）の構成について説明する。第１の模様（４）は、図４に示すように、凸形状の画線から成る第１の要素（５）が第１の方向（Ｓ１）に第１のピッチで（Ｐ１）複数配置されて成る。なお、本発明において、「第１の方向」とは、基材（２）に第１の要素（５）が配置される方向のことである。
【００１９】
（第１の要素）
第１の要素（５）は、図４のＡ−Ａ’線の断面図である図５（ａ）に示すように、凸形状の画線から成る。また、第１の要素（５）は、図５（ｂ）及び図５（ｃ）に示す断面形状としても良い。図５に示す凸形状の第１の要素（５）を形成する方法の例としては、エンボス加工や基材（２）にインキを印刷して（例えば、凹版印刷、スクリーン印刷）形成することができる。また、その他の凸形状を形成する方法の例としては、凸形状を形成するために他を除去して凸形状を残すことも可能であって、例えば、抄紙工程におけるすき入れや基材（２）の一部をレーザ加工によって除去することによって形成することができる。
【００２０】
第１の要素（５）の構成は、図５に示す形状に限定されるものではなく、第１の観察点（Ｌ１）から観察したときに、凹凸形状の表面の全面が観察でき、斜めから観察したときに、凸形状の場合、手前側となる表面が観察でき、奥側となる表面が観察できない形状であれば良い。なお、斜めから観察したときの凹凸形状の表面の見え方については、後述する。
【００２１】
また、第１の要素（５）は、画線、複数の画素、又はこれらの組合せで構成しても良い。本発明において、「画線」とは、直線、破線、波線等のことである。また、本発明において、「画素」とは、所定の形状を有する文字、数字、記号、図形、マーク等のことである。図６は、画素の形状を示す一例であるが、これらの形状に限定されるものではない。ただし、複数の画素を用いて第１の要素（５）を形成する場合には、複数の画素を画線状に配置することにより、肉眼では画線と視認できるように配置する必要がある。本実施の形態については、図７に示す直線で構成される第１の要素（５）が配置された例を用いて説明する。
【００２２】
図７に示す第１のピッチ（Ｐ１）は、限定されるものではないが、前述したような貴重印刷物に本発明の特殊潜像画像形成体を形成し、斜めから観察して潜像を観察するような場合、第１のピッチ（Ｐ１）は、８０μｍ〜１０００μｍの範囲で形成されるのが好ましい。そして、上記範囲において、一定のピッチで万線状に第１の要素（５）が配置される。
【００２３】
なお、第１のピッチ（Ｐ１）を１０００μｍより広くしても潜像を視認することができるが、潜像画像を形成するための第１の模様（４）が大きくなり、貴重印刷物を構成するデザイン、例えば、他の印刷図柄等の制約を受けるために、好ましくない。また、第１のピッチ（Ｐ１）を８０μｍより狭くすることも可能であるが、第１の要素（５）の加工精度の問題や、後述する第１の要素（５）と第３の要素（９）の配置で、位置合わせに高い精度を要するために、好ましくない。
【００２４】
また、図７に示すように、第１の要素（５）における第１の方向（Ｓ１）の幅を第１の要素の幅（Ｗ１）とする。第１の要素の幅（Ｗ１）は、後述する潜像部、背景部の区分けができ、かつ、良好な潜像画像が視認できるように、第１のピッチ（Ｐ１）に対応して形成される。視認性の良好な潜像画像を形成するためには、第１の要素の幅（Ｗ１）の範囲は、第１のピッチ（Ｐ１）に対して１／５〜４／５の広さの範囲が好ましく、例えば、第１のピッチ（Ｐ１）が８０μｍのときの第１の要素の幅（Ｗ１）は、１６μｍ〜６４μｍであり、第１のピッチ（Ｐ１）が１０００μｍのときの第１の要素の幅（Ｗ１）は、２００μｍ〜８００μｍというように、第１のピッチ（Ｐ１）に対して第１の要素の幅（Ｗ１）を、後述する第３の要素（９）を印刷した後の第一の潜像画像（１０）の視認性を鑑みて適宜調整すれば良い。
【００２５】
図５に示す第１の要素（５）の高さ（ｈ１）は、１０〜１００μｍの範囲で形成される。なお、第１の要素（５）の高さ（ｈ１）を１０μｍより低くしても潜像を形成することはできるが、潜像画像が視認できる範囲が狭くなってしまうために、好ましくない。また、第１の要素（５）の高さ（ｈ１）を１００μｍより高くすることも可能であるが、基材（２）が必要以上に厚くなり、加工効率が悪くなるという問題が生じるため、好ましくない。
【００２６】
以上のように説明した第１の要素（５）から成る第１の模様（４）は、万線状に配置された第１の要素（５）の位相が部分的に異なることにより、潜像部（１３）と背景部（１４）に区分けされる。
【００２７】
本発明において、「潜像部（１３）」とは、図８（ａ）に示すように万線状に配置された第１の要素（５）の位相が部分的に異なることによって現される潜像の図柄である「Ａ」の部分である。また、「背景部（１４）」とは、潜像部（１３）に対して背景となる部分である。なお、本実施の形態において、潜像部（１３）の図柄は、図８（ａ）に示す「Ａ」の文字とした例について説明するが、潜像部(１３)の図柄は「Ａ」の文字に限定されず、数字、記号、図形及びマーク等で形成されても良い。
【００２８】
図８（ｂ）は、図８（ａ）において点線で囲まれた箇所の拡大図であり、以降の説明では、潜像部（１３）を構成する第１の要素（５）を「潜像要素（１３Ａ）」と呼び、背景部（１４）を構成する第１の要素（５）を「背景要素（１４Ａ）」と呼ぶ。
【００２９】
なお、潜像要素（１３Ａ）は、図８（ｂ）に示すように、背景要素（１４Ａ）に対して上側に位相を異ならせてもよく、また、図８（ｂ）とは逆に、潜像要素（１３Ａ）を背景要素（１４Ａ）に対して下側に位相を異ならせても良い。
【００３０】
潜像要素（１３Ａ）及び背景要素（１４Ａ）は、図８（ｂ）に示すように離れていても良いし、図９（ａ）又は図９（ｂ）に示すように、繋がっていても良い。
【００３１】
（第２の模様）
第２の模様（６）は、図１０（ａ）に示すように、第１の模様（４）を形成している凸形状の複数の第１の要素（５）において、隣り合う第１の要素（５）同士の間の底面に、複数の凹形状の第２の要素（７）が形成された第一の透過画像部（６Ａ）と第二の透過画像部（６Ｂ）から成る。
【００３２】
また、本発明において、第２の要素（７）が形成される第一の透過画像部（６Ａ）は、潜像部（１３）と同じ領域に配置される。なお、ここでいう同じ領域に配置されるとは、第一の透過画像部（６Ａ）が、潜像部（１３）の図柄である「Ａ」の文字と同じ形状及び同じ大きさであって、かつ、第一の透過画像部（６Ａ）が潜像部（１３）と同じ位置に配置されることである。具体的に、第一の透過画像部（６Ａ）の第２の要素（７）は、潜像部（１３）を構成する潜像要素（１３Ａ）同士の間に形成される。
【００３３】
また、第１の実施の形態において、第２の要素（７）が形成される第二の透過画像部（６Ｂ）は、第一の透過画像部（６Ａ）とは異なる図柄（図１０（ａ）に示す例では、「Ｂ」の文字）を現し、具体的に、第二の透過画像部（６Ｂ）の第２の要素（７）は、背景部（１４）の一部を構成する背景要素（１４Ａ）同士の間に形成される。ここでは、背景部（１４）の一部に第２の要素（７）が形成されて第二の透過画像（１２）となる「Ｂ」の文字を構成した例について説明するが、第二の透過画像部（６Ｂ）図柄は「Ｂ」の文字に限定されず、数字、記号、図形及びマーク等で形成されても良い。
【００３４】
（第２の要素）
図１０（ｂ）は、図１０（ａ）に示すＡ−Ａ’線の断面図である。図１０（ｂ）に示すように、第２の要素（７）は、隣合う凸形状の第１の要素（５）の間の底面（Ｌ）に対して、凹形状となっている。第２の要素（７）を凹形状に加工する方法としては、すき入れ、レーザ加工によって形成することができる。図１０（ｂ）において、第２の要素（７）は、底面（Ｌ）の一部に形成された状態を示しているが、図１０（ｃ）に示すように、底面（Ｌ）を残すことなく、形成しても良い。なお、本発明において、底面（Ｌ）とは、段落（００１９）で説明したように、インキを印刷して凸形状の第１の要素（５）を形成する場合は、基材（２）自体の表面のことである。また、すき入れやレーザ加工によって、凸形状の第１の要素（５）を形成する場合の底面（Ｌ）は、基材（２）の一部が除去されることで形成された凹部の表面のことであり、図５に示す凸形状の第１の要素（５）に対して、凹となっている基材（２）の平らな表面のことである。図１０（ｃ）では、図５に示す第１の要素（５）がすき入れやレーザ加工によって形成された段階で底面（Ｌ）となる部分を破線で図示し、第２の要素（７）が形成された部分では底面（Ｌ）が残っていない状態を示している。
【００３５】
図１０（ｂ）及び図１０（ｃ）は、図１０（ａ）に示すＡ−Ａ’線の断面図であって、潜像要素（１３Ａ）同士の間に形成された第２の要素（７）の状態を示す図であるが、背景要素（１４Ａ）同士の間に形成される第２の要素（７）も同様な構成となっている（図示せず）。
【００３６】
図１１（ａ）は、図１０（ａ）の一点鎖線部分の拡大図である。図１１（ｂ）は、図１１（ａ）のＢ−Ｂ’線の断面図である。図１１（ｂ）では、隣り合う第１の要素（５）の凸形状間の底面（Ｌ）に、凹形状の第２の要素（７）が形成されていることを、第１の要素（５）の高さ（ｈ１）と第２の要素（７）の深さ（ｈ２）で示している。
【００３７】
図１１（ａ）に示すように、第２の要素（７）における第１の方向（Ｓ１）の幅を第２の要素の幅（Ｗ２）とする。第２の要素の幅（Ｗ２）は、第１のピッチ（Ｐ１）から第１の要素の幅（Ｗ１）を引いた幅である第１の要素（５）の間の底面距離（Ｕ１）より狭ければ、特に制限を受けるものではない。例えば、第１のピッチ（Ｐ１）が１０００μｍ、第１の要素の幅（Ｗ１）が４００μｍであった場合、第２の要素の幅（Ｗ２）は６００μｍより狭いものであれば良い。
【００３８】
第２の要素（７）の深さ（ｈ２）の範囲については、基材（２）を貫通することがなければ特に制限はない。第２の要素（７）は、基材（２）の厚みが最も薄いため、透過光下で観察した場合に、最も明るく見えることから、第一の透過画像部（６Ａ）に形成された第２の要素（７）によって、「Ａ」の文字が第一の透過画像（１１）として視認でき、第二の透過画像部（６Ｂ）に形成された第２の要素（７）によって、「Ｂ」の文字が第二の透過画像（１２）として視認できる。
【００３９】
第２の要素（７）は、図１０（ａ）に示したように全て同一形状、同一面積、同一ピッチ及び同一密度で配置しても良い。この時、第一の透過画像（１１）と第二の透過画像（１２）は、単一な明暗を持つ画像として視認される。
【００４０】
第２の要素（７）は、図１２（ａ）に示すような円形に限定されるものではなく、図１２（ｂ）や図１２（ｃ）に示すように楕円形状や画線形状、その他、図６に示すような画素、またはこれらの組合せであっても良い。
【００４１】
また、第２の要素（７）は、面積率を異ならせること及び深さを異ならせることで、図１３（ａ）に示すような第一の透過画像（１１）の明るさに明暗の階調を持たせて表現することができる。
【００４２】
面積率を異ならせることで階調を表現する例として、第一の透過画像（１１）である「Ａ」に階調表現を施したときの平面図である図１３（ａ）と、その拡大図として図１３（ｂ）〜図１３（ｄ）を用いて説明する。
【００４３】
図１３（ａ）の第一の透過画像（１１）である「Ａ」を、図３（ｃ）に示す第３の観察点（Ｌ３）から観察すると、図１３（ｂ）に示すように、第２の要素（７）の面積が小さい領域では、透過光量が少なく、第１の方向（Ｓ１）に向かう程、第２の要素（７）の面積が大きく、透過光量が多くなることから、明るさの明暗によって、「Ａ」が階調画像として視認できる。
【００４４】
また、第一の透過画像（１１）における第２の要素（７）の面積率を異ならせて第一の透過画像（１１）に明暗の階調を持たせる別の方法としては、図１３（ｃ）に示すように、同じ大きさの第２の要素（７）の単位面積当たりの数を増減すること、又は、複数種類の大きさや形状の異なる第２の要素（７）の単位面積当たりの数を増減することにより、第２の要素（７）の粗密を作り、明るさの階調画像を形成しても良い。
【００４５】
さらに、第一の透過画像（１１）に明暗の階調を持たせる別の方法としては、図１３（ｄ）に示すように、第２の要素（７）が画線である場合、画線数を増減すること、又は、一つの画線において幅を異ならせることにより、第２の要素（７）の粗密や面積を異ならせて、明るさの階調画像を形成しても良い。
【００４６】
第２の要素（７）の深さを異ならせることで第一の透過画像（１１）に明暗の階調を持たせる例としては、第一の透過画像（１１）である「Ａ」に階調表現を施したときの平面図である図１４（ａ）と、図１４（ａ）に示すＤ−Ｄ’線の断面図である図１４（ｂ）を用いて説明する。図１４（ａ）の第一の透過画像（１１）である「Ａ」は、図１４（ｂ）に示すように、第一の透過画像（１１）における第２の要素（７）の深さ（ｈ２）が浅い領域では基材の厚みがあるため透過光量が少なく、第１の方向（Ｓ’１）に向かう程、深さ（ｈ’２）が深く基材の厚みが薄くなるため透過光量が多くなることを利用し、明るさの明暗が生じる階調画像として形成している。なお、第２の要素（７）の深さ（ｈ２）の範囲については、基材（２）を貫通することがなければ特に制限はない。
【００４７】
図１０乃至図１４では、第一の透過画像（１１）を明るさの明暗のある階調画像として形成する構成について説明したが、同様にして、第二の透過画像（１２）においても階調画像として形成することができる。また、第一の透過画像部（６Ａ）と第二の透過画像部（６Ｂ）に形成する第２の要素（７）の面積率及び深さを異ならせることで、異なる明るさで視認できる第一の透過画像（１１）と第二の透過画像（１２）を形成することもできる。
【００４８】
（第３の模様）
第３の模様（８）は、図１５（ａ）に示すように、第３の要素（９）が第２の方向（Ｓ２）に、第２のピッチ（Ｐ２）で万線状に複数配置されて成る。本発明において、「第２の方向」とは、第３の要素（９）が配置される方向のことである。また、第３の要素（９）における第２の方向（Ｓ２）の幅を第３の要素の幅（Ｗ３）とする。なお、第３の要素（９）は、前述した図６及び図７に示す第１の要素（５）と同様に、画線又は複数の画素、またはこれらの組合せで形成しても良い。また、第３の要素（９）は、第１の要素（５）と異なる画線又は画素、又はこれらの組合せで形成しても良い。
【００４９】
第２のピッチ（Ｐ２）は、第１のピッチ（Ｐ１）と略同じ広さで形成される。略同じ広さとは、第１のピッチ（Ｐ１）に対して４／５〜６／５の広さの範囲である。好ましくは、同じピッチとするのが良い。これは、第１のピッチ（Ｐ１）と第２のピッチ（Ｐ２）が同じ場合、第１の要素（５）と第３の要素（９）が必ず一定の間隔で重なるため、後述する、潜像部（１３）及び背景部（１４）から成る第一の潜像画像（１０）を視認しやすいからである。
【００５０】
また、第３の要素の幅（Ｗ３）は、少なくとも１０μｍより広く、上限は、第１のピッチ（Ｐ1）に対して、９／１０の広さの範囲で形成される。これは、仮に、第３の要素の幅（Ｗ３）が第１のピッチ（Ｐ１）に対して９／１０より広いと、潜像要素（１３Ａ）、背景要素（１４Ａ）に第３の要素（９）が重なるので、コントラストが得られず第一の潜像画像（１０）が視認できないからである。また、第３の要素の幅（Ｗ３）が１０μｍより狭いと、第１の要素（５）と第３の要素（９）の重なる面積が小さいため第一の潜像画像（１０）の視認性が低下するからである。
【００５１】
本発明において、「第１の方向」とは、第１の要素（５）が配置される方向のことであり、「第２の方向」とは、第３の要素（９）が配置される方向のことである。本発明の形成体（１）において、第１の方向と第２の方向は、同じ方向であっても良いし、第２の方向が第１の方向と異なる方向でも良い。なお、第２の方向を第１の方向に対して異ならせて複数配置された第３の要素（９）から成る第３の模様（８）の例を、図１５（ｂ）に示す。
【００５２】
この場合、第３の要素（９）は、図１５（ｃ）の拡大図に示すように、第１の要素（５）が配置される方向を示すＥ−Ｅ’線に対して、傾けて形成される。このとき、第１の要素（５）と第３の要素（９）の傾斜角（α）は、±０．５度から±３度の範囲で形成される。第１の要素（５）と第３の要素（９）の傾斜角（α）の好ましい範囲は、±０．５度から±１．５度である。これは、第１の要素（５）と第３の要素（９）の傾斜角（α）が小さい方が、第一の潜像画像（１０）を視認しやすいためである。
【００５３】
第３の模様（８）は、第１の模様（４）における潜像部（１３）と背景部（１４）から成る領域よりも大きく形成され、潜像部（１３）と背景部（１４）を覆うように配置される。これは、潜像部（１３）と背景部（１４）に第３の模様（８）が重ならない部分があると第一の潜像画像（１０）全体を視認できないからである。
【００５４】
（第３の要素）
第３の模様（８）を形成する第３の要素（９）の色は、第１の要素（５）の色と異なる色であればよく、第１の要素（５）と異なる色であれば特に限定されるものではない。
【００５５】
第３の要素（９）の形成方法は、オフセット印刷、グラビア印刷、インクジェット印刷等の公知の印刷方法又はレーザ加工等を用いることができる。なお、印刷によって第３の模様（８）が形成される場合は、第３の要素（９）はインキから成り、レーザ加工によって第３の模様（８）が形成される場合は、第３の要素（９）は、基材（２）がレーザによって変色されて成る。
【００５６】
この形成体（１）を作製する順番については、始めに凸形状の第１の要素（５）を形成し、その上に、第３の要素（９）を重ねて形成する。また、第２の要素（７）は、第１の要素（５）と同じ工程で形成しても良いし、第３の要素（９）を形成した後に形成しても良い。
【００５７】
（第１の模様と第３の模様の配置）
次に第１の模様（４）と第３の模様（８）の配置と、視認できる第一の潜像画像（１０）について説明する。まず、第２の要素（７）を除外して本発明の第一の潜像画像（１０）の視認原理について説明する。
【００５８】
図１６（ａ）は、位相が異なる潜像要素（１３Ａ）と背景要素（１４Ａ）に第３の要素（９）が重なる配置の一例を示す図であり、図１６（ｂ）は、図１６（ａ）におけるＭ−Ｍ’線、すなわち、潜像部（１３）の断面を説明する図であり、図１６（ｃ）は、図１６（ａ）におけるＮ−Ｎ’線、すなわち、背景部（１４）の断面を説明する図である。図１６（ａ）に示す配置で潜像要素（１３Ａ）と背景要素（１４Ａ）に第３の要素（９）が重なるとき、図１６（ｂ）に示すように、潜像要素（１３Ａ）に対して、第３の要素（９）が重なり、図１６（ｃ）に示すように、背景要素（１４Ａ）に対して、第３の要素（９）が重なるが、位相が異なる潜像要素（１３Ａ）と背景要素（１４Ａ）に対して、第３の要素（９）が重なる位置が異なっている。
【００５９】
そして、図１６に示す配置の特殊潜像模様形成体（１）において、図１６（ｂ）及び図１６（ｃ）に示すように、基材（２）に対して真上の位置（Ｌ１）から潜像画像形成領域（３）を観察すると、潜像部（１３）及び背景部（１４）ともに第３の要素（９）がそのまま視認にされ、潜像の図柄を視認することはできない。一方、図１６（ｂ）及び図１６（ｃ）に示す基材（２）に対して斜めの位置（Ｌ２）から潜像画像形成領域（３）を観察すると、潜像部（１３）は、第３の要素（９）が視認できるが、背景部（１４）は、背景要素（１４Ａ）の影となって第３の要素（９）が視認できない。これによって、潜像部（１３）である「Ａ」の文字のみが第３の要素（９）の色で見えることで、図１６（ｄ）に示す第一の潜像模様（１０）が視認される。
【００６０】
潜像要素（１３Ａ）と背景要素（１４Ａ）に第３の要素（９）が重なる配置の一例について、図１６を用いて説明したが、斜めの位置（Ｌ２）から観察したときに、潜像要素（１３Ａ）と背景要素（１４）に重なる第３の要素（９）の面積率の差があれば、第一の潜像模様（１０）を視認することができ、具体的な配置は、特開２０１３−２４０９６２号公報や、特許第５０６２６４５号公報に記載されており、説明は省略する。
【００６１】
（第２の模様と第３の模様の配置）
次に第２の要素（７）と第３の要素（９）の配置と視認できる第一の透過画像（１１）について図１７〜１９を用いて説明する。
【００６２】
第３の要素（９）が、第２の要素（７）に重ならない配置の一例を図１７に示す。この形成体（１）を第３の観察点（Ｌ３）から透過光下で観察した場合、第２の要素（７）は、基材（２）で最も薄く、第３の要素（９）で覆われていないため、単純に明るく見えることで、第一の透過画像（１１）が視認できる。
【００６３】
次に、第３の要素（９）が、第２の要素（７）のすべてに重なる配置の一例を図１８に示す。この形成体（１）を第３の観察点（Ｌ３）から透過光下で観察した場合、第２の要素（７）は、第３の要素（９）で完全に覆われているため、第２の要素（７）が第３の要素（９）の色で視認できる。ただし、透過光下で第３の要素（９）の色を観察できるためには、第３の要素（９）を構成するインキが光を完全に遮断するものでないことが必要である。使用するインキについては、印刷物とした時の光の透過量が少なくとも第２の要素（７）を視認できる程度になるように調整する必要がある。また、印刷方法としては、印刷物の膜厚が厚くならないオフセット印刷やグラビア印刷が好ましく、膜厚が厚くなるスクリーン印刷や凹版印刷を用いる場合には、光の透過を阻害しないように、染料を成分とするようなインキを使用することが好ましい。
【００６４】
次に、第３の要素（９）が、第２の要素（７）に一部重なる配置の一例を図１９に示す。この形成体（１）を第３の観察点（Ｌ３）から透過光下で観察した場合、第２の要素（７）は、その一部を第３の要素（９）で覆われているため、覆われていない部分は単純に明るく視認できる。また、第２の要素（７）が第３の要素（９）に覆われた部分において、第３の要素（９）を構成するインキが光を完全に遮断しない場合は、第３の要素（９）の色で視認できる。
【００６５】
図１９に示す配置において、第３の要素（９）を構成するインキが光を完全に遮断する場合でも、第３の要素（９）に覆われていない部分から透過光が見えるため、第一の透過画像（１１）を視認することができる。なお、第３の観察点（Ｌ３）から透過光下で第二の透過画像（１２）を観察する場合においても、以上に説明した見え方と同様に視認される。
【００６６】
ここまでは、図１７乃至図１９において、基材（２）に、第１の模様（４）と第２の模様（６）を形成した後に、第３の模様（８）を配置する順番で形成体（１）を作製したときに視認される第一の透過画像（１１）について説明したが、続いて、第１の模様（４）と第３の模様（８）を先に配置したあとに、レーザ加工によるハーフカット（非貫通孔）によって後から第２の模様（６）を形成したときに視認される第一の透過画像（１１）について、図１７、図２０、図２１を用いて説明する。
【００６７】
図１７は、第２の要素（７）が第３の要素（９）に重ならない配置の一例である。形成体（１）を第３の観察点（Ｌ３）から透過光下で観察した場合、第２の要素（７）は、基材（２）で最も薄く、第３の要素（９）で覆われていないため、単純に明るく見えることで、第一の透過画像（１１）が視認できる。
【００６８】
図２０は、第２の要素（７）が第３の要素（９）に重なる配置の一例である。この場合は、第３の要素（９）と基材（２）を同時にレーザでハーフカットして第２の要素（７）を形成するため、図２０に示すように、第３の要素（９）が第２の要素（７）を遮ることなく配置される。透過光下で観察した場合には、基材（２）で最も薄い第２の要素（７）の透過光量が多くなることで明るく見え、第一の透過画像（１１）が視認できる。
【００６９】
図２１は、第２の要素（７）が第３の要素（９）に一部重なる配置である。この場合は、最後に第３の要素（９）を配置した図１９と異なり、第３の要素（９）と基材（２）を同時にレーザでハーフカットして第２の要素（７）を形成するため、図２１に示すように、第３の要素（９）が第２の要素（７）を遮ることなく配置される。透過光下で観察した場合には、基材（２）で最も薄い第２の要素（７）の透過光量が多くなることで明るく見え、第一の透過画像（１１）が視認できる。
【００７０】
つまり、第１の要素（５）と第３の要素（９）を形成した後に、第２の要素（７）を形成することで、透過光下で観察した場合、第３の要素（９）の影響を受けることなく第一の透過画像（１１）を視認することができる。
【００７１】
段落（００６１）乃至（００７０）に説明した第２の要素（７）と第３の要素（９）の配置及び形成した順によって、第一の透過画像（１１）が視認される原理は、第３の観察点（Ｌ３）から透過光下で第二の透過画像（１２）を観察する場合においても、同様である。
【００７２】
以上の構成と、潜像画像の観察原理により、本発明の第１の実施の形態における特殊潜像模様形成体（１）を、第２の観察点（Ｌ２）から傾けて観察した場合には、図３（ｂ）に示すように、「Ａ」の文字が第一の潜像画像（１０）として視認され、第３の観察点（Ｌ３）から透過光下で観察した場合には、第一の潜像画像（１０）と同じ図柄である「Ａ」の文字が第一の透過画像（１１）として視認でき、さらに、第一の潜像画像（１０）とは異なる図柄の「Ｂ」の文字である第二の透過画像（１２）が視認できる。特開２０１３−２４０９６２に記載の特殊潜像画像形成体は、第２の観察点（Ｌ２）と第３の観察点（Ｌ３）から観察したときに視認される二つの潜像の図柄がチェンジすることで真偽判別を行うものであるのに対して、本発明の特殊潜像画像形成体（１）は、三つの潜像画像を視認して真偽判別を行うことで、より高度な認証と、偽造防止効果に優れた形成体（１）としている。
【００７３】
第１の実施の形態の例においては、第二の透過画像部（６Ｂ）を「Ｂ」の文字とした例で説明したが、第一の透過画像部（６Ａ）と第二の透過画像部（６Ｂ）を潜像部（１３）の図柄と同じ「Ａ」の文字としても良い。この場合、第一の潜像画像（１０）に対して、第一の透過画像（１１）及び第二の透過画像（１２）の図柄はそれぞれ同じ図柄であるが、第一の透過画像（１１）と第二の透過画像（１２）を合わせた模様に対して、第一の潜像画像（１０）は異なる図柄となる。
【００７４】
続いて、第二の透過画像部（６Ｂ）が、背景部（１４）の一部に加えて、さらに、潜像部（１３）の少なくとも一部と同じ領域に配置される第２の実施の形態について説明する。第２の実施の形態の形成体（１）は、第１の実施の形態に対して、第２の要素（７）の配置が異なるので、第２の要素（７）の配置について説明し、その他の構成は説明を省略する。
【００７５】
（第２の実施の形態）
図２２（ａ）は、第２の実施の形態の第１の模様（４）と第２の模様（６）を示す図であり、第２の実施の形態は、第二の透過画像部（６Ｂ）である「Ｂ」の文字の領域の一部が、潜像部（１３）である「Ａ」の文字の領域の少なくとも一部と同じ領域に配置される。なお、本発明の第２の実施の形態において、第二の透過画像部（６Ｂ）が潜像部（１３）の一部と同じ領域に配置されるとは、第１の実施の形態の例で説明した第二の透過画像部（６）の「Ｂ」の文字の領域と潜像部（１３）の「Ａ」の文字の領域が、図２２（ａ）に示すように、重複していることであって、第１の実施の形態で説明した第一の透過画像部（６Ａ）と第二の透過画像部（６Ｂ）に形成された第２の要素（７）が重複することではない。第１の実施の形態で説明したように、潜像部（１３）の潜像要素（１３Ａ）の間には、第一の透過画像部（６Ａ）を構成する第２の要素（７）が形成されているので、第二の透過画像部（６Ｂ）と潜像部（１３）が重複した領域に、第二の透過画像部（６Ｂ）としての第２の要素（７）を改めて形成するものではない。
【００７６】
図２２（ａ）は、第二の透過画像部（６Ｂ）の一部が、潜像部（１３）の一部に重複した状態を示しているが、図２２（ｂ）に示すように、第二の透過画像部（６Ｂ）が潜像部（１３）の全体に重複した構成であっても良い。なお、図２２（ｂ）は、第二の透過画像部（６Ｂ）は、「ひし形」の模様とした例である。図２２（ａ）及び図２２（ｂ）に示す第一の透過画像部（６Ａ）と第二の透過画像部（６Ｂ）の図柄は、第２の実施の形態の形成体（１）を説明するための一例であり、第１の実施の形態と同様に、他の文字、記号、図形及びマーク等で形成されても良い。
【００７７】
第２の実施の形態において、第２の模様（６）は、第一の透過画像部（６Ａ）と第二の透過画像部（６Ｂ）の境界に第２の要素（７）が形成されない輪郭領域（６ａ）を備える。以下、図８に示す、潜像要素（１３Ａ）と背景要素（１４Ａ）が離れて形成される場合と、図９に示す潜像要素（１３Ａ）と背景要素（１４Ａ）が繋がって形成される場合の輪郭領域（６ａ）の具体的な構成について説明する。
【００７８】
図２３は、図２２の破線で囲む領域、すなわち、潜像部（１３）に第二の透過画像部（６Ｂ）が重なる領域であり、第一の透過画像部（６Ａ）と第二の透過画像部（６Ｂ）の境界部分の拡大図である。また、図２３は、図８に示す潜像要素（１３Ａ）と背景要素（１４Ａ）が離れて形成される場合の潜像部（１３）と背景部（１４）の境界部分の拡大図である。
【００７９】
潜像要素（１３Ａ）と背景要素（１４Ａ）が離れて形成される場合の第一の透過画像部（６Ａ）と第二の透過画像部（６Ｂ）の「境界（１７）」とは、背景要素（１４Ａ）の端と潜像要素（１３Ａ）の端の境目（図２３中のＴ−Ｔ’線）のことであり、このＴ−Ｔ’線上を除いて第２の要素（７）が形成される。また、透過光下の観察で、第一の透過画像（１１）と第二の透過画像（１２）の境界を輪郭として目視で区分けして視認できるように、潜像要素（１３Ａ）の端と背景要素（１４Ａ）の端の境目から少なくとも０．３ｍｍ以上空けて第２の要素（７）が形成される。このとき、図２３（ｂ）に示すように、潜像要素（１３Ａ）の端と背景要素（１４Ａ）の端の境目から背景部（１４）側に０．３ｍｍ空けて第２の要素（７）を形成しても良いし、図２３（ｃ）に示すように、潜像要素（１３Ａ）の端と背景要素（１４Ａ）の端の境目から潜像部（１３）側に０．３ｍｍ空けて第２の要素（７）を形成しても良い。また、潜像部（１３）側と背景部（１４）側に合わせて０．３ｍｍ空けて第２の要素（７）を形成しても良い（図示せず）。
【００８０】
このように、第一の透過画像（６Ａ）と第二の透過画像部（６Ｂ）の境界（１７）の周辺に第２の要素（７）を形成しないことで、第一の透過模様部（６Ａ）と第二の透過模様部（６Ｂ）の境界に輪郭領域（６ａ）が構成される。そして、第２の実施の形態の形成体（１）を第３の観察点（Ｌ３）から透過光下で観察すると、図２４に示すように、第一の透過画像部（６Ａ）と第二の透過画像部（６Ｂ）の境界の境界領域（６ａ）に、第２の要素（７）の有無による濃淡が生じて第１の透過画像（１１）の輪郭が現れ、第一の透過画像（１１）と第二の透過画像（１２）を区分けして視認することができる。
【００８１】
潜像要素（１３Ａ）と背景要素（１４Ａ）の境目（１７）から第２の要素（７）を配置しない領域が０．３ｍｍより大きくなるほど、第１の透過画像（１１）の輪郭が大きくなるので、透過光下の観察で所望とする第一の透過画像（１１）の輪郭の大きさに応じて、潜像要素（１３Ａ）と背景要素（１４Ａ）の境目（１７）周辺に形成する第２の要素（７）の配置を適宜調整すれば良く。仮に、図１に示す商品券の一部に潜像画像形成領域（３）を備える場合、第一の透過画像（１１）の図柄とのその輪郭のバランスを考慮すると、１ｍｍ以内とするのが良い。
【００８２】
続いて、図９に示す潜像要素（１３Ａ）と背景要素（１４Ａ）が繋がって形成される場合の輪郭領域（６ａ）の構成について説明する。図２５は、図２２の破線で囲む領域であって、図９（ａ）に示す潜像要素（１３Ａ）と背景要素（１４Ａ）が繋がって形成される場合の潜像部（１３）と背景部（１４）の境界部分の拡大図である。
【００８３】
潜像要素（１３Ａ）と背景要素（１４Ａ）が繋がって形成される場合の第一の透過画像部（６Ａ）と第二の透過画像部（６Ｂ）の「境界（１７）」とは、図２５（ａ）に示すように、第１の方向（Ｓ１方向）に隣合う第１の要素（５）において、潜像要素（１３Ａ）と背景要素（１４Ａ）を繋ぐ第１の要素（５）の延長線内の領域のことであり、図２５（ａ）では、Ｖ−Ｖ’線とＷ−Ｗ’線で囲まれた、太線で示す領域である。そして、図２５（ｂ）及び図２５（ｃ）に示すように、境界（１７）の少なくとも一部を除いて、第２の要素（７）が形成されることで境界領域（６ａ）が構成される。図２５（ｂ）は、境界（１７）の全体を除いて第２の要素（７）が形成された状態を示しているが、前述のように、境界（１７）の少なくとも一部を含み、第一の透過画像部（６Ａ）と第二の透過画像部（６Ｂ）の間に、第２の要素（７）が形成されない領域を０．３ｍｍ以上設ければ良く、この条件を満たしていれば、図２５（ｃ）に示すように、境界（１７）の一部に第２の要素（７）を形成しても良いし、第２の要素（７）が形成されない領域が、潜像部（１３）側及び／又は背景部（１４）側に跨っても良い（図示せず）。なお、第２の要素（７）を形成しない領域の上限については、段落（００８１）で説明したのと同様である。
【００８４】
第２の実施の形態においても、第一の透過画像部（６Ａ）と第二の透過画像部（６Ｂ）に形成される第２の要素（７）の面積率及び深さを異ならせて、第一の透過画像（１１）と第二の透過画像（１２）の少なくとも一方を階調画像としても良い。
【００８５】
また、第２の実施の形態において、第一の透過画像（１１）と第二の透過画像（１２）のそれぞれの視認性を向上させるために、第一の透過画像部（６Ａ）を第１の面積率で一定の明るさで形成し、第二の透過画像部（６Ｂ）を第１の面積率とは異なる第２の面積率で一定の明るさで形成するのが好ましい。その一例としては、図２６（ａ）に示すように、第一の透過画像部（６Ａ）と第二の透過画像部（６Ｂ）に、同じ幅（Ｗ２）の第２の要素（７）を形成し、第一の透過画像部（６Ａ）と第二の透過画像部（６Ｂ）の単位面積当たりに形成する第２の要素（７）の数を異ならせる構成がある。また、図２６（ｂ）に示すように、第一の透過画像部（６Ａ）に形成する第２の要素（７）の幅（Ｗ２Ａ）に対して、第二の透過画像部（６Ｂ）に形成する第２の要素（７）の幅（Ｗ２Ｂ）を小さく形成し、それぞれ同じ間隔で配置する構成がある。また、図２６（ｃ）に示すように、第一の透過画像部（６Ａ）に形成する直線形状の第２の要素（７）の幅（Ｗ２Ａ）に対して、幅（Ｗ２Ｂ）が小さい円形状の第２の要素（７）を第二の透過画像部（６Ｂ）に形成しても良い。
【００８６】
以下、前述の発明を実施するための形態に従って、具体的に作製した形成体（１）の実施例について詳細に説明をするが、本発明は、これらの実施例に限定されるものではない。
【００８７】
（実施例１）
実施例１の特殊潜像模様形成体（１）は、第二の実施の形態で説明した構成である。実施例１の特殊潜像模様形成体（１）について、実施の形態で説明した図面を用いて説明する。
【００８８】
基材（２）には、木綿パルプを原料とし、手すきシート作製機（熊谷理機工業株式会社製）を用いて、坪量９０ｇ／ｍ２、厚さ１００μｍ、白色の紙基材を作製した。その際、手すきシート作製機の金網に、第１の模様（４）及び第２の模様（６）を形成するための凸部を設けてすき入れ加工により、凸形状の第１の要素（５）及び凹形状の第２の要素（７）を同時に形成した。
【００８９】
実施例１で形成した第１の模様（４）の画線設計について説明する。図７に示す、第１の要素の幅（Ｗ１）を３５０μｍで、第１のピッチ（Ｐ１）を５００μｍとし、図１１（ｂ）に示す第１の要素の高さ（ｈ１）を３０μｍとし、直線形状の第１の要素（５）を万線状に形成した。また、図８に示す潜像要素（１３Ａ）と背景要素（１４Ａ）は、２５０μｍ位相を異ならせた配置とし、「Ａ」の文字の潜像部（１３）と背景部（１４）から成る第１の模様（４）を形成した。
【００９０】
実施例１で形成した第２の模様（６）の画線設計について説明する。第２の模様（６）は、図２２（ｂ）に示す構成とし、「Ａ」の文字の第一の透過画像部（６Ａ）と「ひし形」の第二の透過画像部（６Ｂ）から成る構成とし、それぞれの画像部に、第２の要素（７）を形成した。第２の要素（７）は、図１１（ａ）に示す第２の要素の幅（Ｗ２）を１００μｍの円形の画素形状とし、図１１（ｂ）に示す第２の要素の深さ（ｈ２）を３０μｍとし、それぞれの画像部に同じ形状の第２の要素（７）を同じ面積率で形成した。また、図２３（ｂ）に示すように、第一の透過画像部（６Ａ）と第二の透過画像部（６Ｂ）の境界から、背景部（１４）側に０．５ｍｍ第２の要素（７）を形成しないことで、輪郭領域（６ａ）を形成した。
【００９１】
実施例１で形成した第３の模様（８）の画線設計について説明する。図１５に示す第３の模様（８）は、第３の要素の幅（Ｗ３）を２５０μｍとし、第２のピッチ（Ｐ２）を５００μｍとし、直線形状の第３の要素（９）を、第１の要素（５）を配置する第１の方向（Ｓ１）と同じ第２の方向（Ｓ２）に万線状に形成した。なお、第３の模様（９）は、シアンインキ（ＴＫ  ハイユニティネオ  東洋インキ製）を用い、オフセット印刷によって、形成した。
【００９２】
以上の構成で成る実施例１の特殊潜像模様形成体（１）を、図１６に示すように、第２の観察点（Ｌ２）から傾けて観察すると、「Ａ」の文字の第一の潜像画像（１０）が視認でき、第３の観察点（Ｌ３）から透過光下で観察すると、図２７に示すように、第一の潜像画像（１０）と同じ図柄である「Ａ」の文字の第一の透過画像（１１）と、第一の潜像画像（１０）とは異なる「ひし形」の第二の透過画像（１２）が視認でき、第一の透過画像部（１１）と第二の透過画像部（１２）の境界に輪郭領域（６ａ）が視認できた。
【００９３】
（実施例２）
実施例２は、実施例１に対して、第一の透過画像部（６Ａ）と第二の透過画像部（６Ｂ）の面積率が異なる構成であり、その他の構成は同じである。
【００９４】
実施例２の第２の模様（６）の構成について、図２８を用いて説明する。図２８は、実施例２の第一の透過画像部（６Ａ）と第二の透過画像部（６Ｂ）の境界の一部拡大図である。図２８に示すように、第一の透過画像部（６Ａ）は、潜像要素（１３Ａ）同士の間に、第２の要素の幅（Ｗ２Ａ）が１００μｍの円形の第２の要素（７）を、２００μｍのピッチ（ｐ）で複数形成した。また、第二の透過画像部（６Ｂ）は、第２の要素の幅（Ｗ２Ｂ）を１３０μｍとし、直線の第２の要素（７）を形成した。
【００９５】
以上の構成で成る実施例２の特殊潜像模様形成体（１）を第３の観察点（Ｌ３）から透過光下で観察すると、図２９に示すように、第二の透過画像部（６Ｂ）の面積率が高いことで、「ひし形」の第二の透過画像（１２）が明るく、第一の透過画像部（６Ａ）の面積率が低いことで、「Ａ」の文字が暗く視認され、明暗の差によって、それぞれの透過画像の視認性を向上することができた。
【符号の説明】
【００９６】
１          特殊潜像模様形成体
２          基材
３          潜像画像形成領域
４          第１の模様
５          第１の要素
６          第２の模様
６Ａ          第一の透過画像部
６Ｂ          第二の透過画像部
６ａ          輪郭領域
７          第２の要素
８          第３の模様
９          第３の要素
１０          第一の潜像画像
１１          第一の透過画像
１２          第二の透過画像
１３          潜像部
１３Ａ          潜像要素
１４          背景部
１４Ａ          背景要素
１７          境界
Ｌ１          第１の観察点（真上からの観察）
Ｌ２          第２の観察点（第１の要素に垂直方向から、かつ、基材に対して斜めの方向から観察）
Ｌ３          第３の観察点（真上からの透過光下による観察）
【図１】
0006365986.tif 000002
【図２】
0006365986.tif 000003
【図３】
0006365986.tif 000004
【図４】
0006365986.tif 000005
【図５】
0006365986.tif 000006
【図６】
0006365986.tif 000007
【図７】
0006365986.tif 000008
【図８】
0006365986.tif 000009
【図９】
0006365986.tif 000010
【図１０】
0006365986.tif 000011
【図１１】
0006365986.tif 000012
【図１２】
0006365986.tif 000013
【図１３】
0006365986.tif 000014
【図１４】
0006365986.tif 000015
【図１５】
0006365986.tif 000016
【図１６】
0006365986.tif 000017
【図１７】
0006365986.tif 000018
【図１８】
0006365986.tif 000019
【図１９】
0006365986.tif 000020
【図２０】
0006365986.tif 000021
【図２１】
0006365986.tif 000022
【図２２】
0006365986.tif 000023
【図２３】
0006365986.tif 000024
【図２４】
0006365986.tif 000025
【図２５】
0006365986.tif 000026
【図２６】
0006365986.tif 000027
【図２７】
0006365986.tif 000028
【図２８】
0006365986.tif 000029
【図２９】
0006365986.tif 000030